(57)【要約】  衣料物品が皮膚に接して着用されるように適合され、この衣料物品は、身体内の特定の表面静脈の全長の少なくとも２０％の標的化された圧迫を提供するように適合された、あるいは特定の静脈叢、特定のリンパ管叢、ドレナージ叢、又はリンパ管の集まりの少なくとも２０％の標的化された圧迫を提供するように適合された、少なくとも１つのパネルを含む。この衣料は、人間又はその他の哺乳類における活動期間後の回復時間を減少させる方法、及び人間又はその他の哺乳類における性能、特にスポーツ性能を向上させる方法において有用である。これはまた、皮膚のコンディショニングを向上させ得、リンパ管ドレナージを補助し得、特定の医学的状態の処置において使用可能である。
2016509637.tif 000002
【特許請求の範囲】
【請求項１】
皮膚に接して着用されるように適合された衣料物品であって、
身体内の特定の表面静脈の全長の少なくとも２０％の標的化された圧迫を提供するように適合された、あるいは特定の静脈叢、特定のリンパ管叢、ドレナージ叢、又はリンパ管の集まりの少なくとも２０％の標的化された圧迫を提供するように適合された、少なくとも１つのパネルを備える、
物品。
【請求項２】
複数のパネルを備える、請求項１に記載の物品。
【請求項３】
前記パネルは、
腕の中の橈側皮静脈（８）又は尺側皮静脈（９）、脚の中の短伏在静脈（１３）又は長伏在静脈（１２）、臀部（１１）及び股関節の外側の面（１４）の中のドレナージ叢の集まり、又は胸筋の上に重なる前胸壁（１０）の中のドレナージ叢、又はこれらの組み合わせから選択された表面静脈の全長の少なくとも２０％の上に重なる皮膚領域の標的化された圧迫を提供するように適合される、請求項１又は請求項２に記載の物品。
【請求項４】
前記身体への一般的な圧迫又は段階的圧迫の区域を、前記標的化された圧迫が前記一般的な圧迫又は段階的圧迫に加えて提供されるよう提供するように適合された材料を備え、
圧迫又は段階的圧迫の前記区域は前記パネルより大きく、
前記パネルは前記材料より高いレベルの圧迫を提供するように適合された、
請求項１〜請求項３のいずれか一項に記載の物品。
【請求項５】
段階的圧迫の区域を提供するように適合された材料であって、前記物品の使用中に、より大きな圧迫レベルが心臓からより遠位に位置し、より小さな圧迫レベルが前記心臓に対してより近位に位置するように更に適合された材料、を備える、請求項４に記載の物品。
【請求項６】
前記パネルは前記衣料物品の内側に位置し、
かつ前記パネルは、皮膚表面に向けて内側に突出する単一の又は複数の突起又はパッドを、それらが使用中に前記身体に作用してそれにより前記標的化された圧迫を提供するように備える、
請求項１〜請求項５のいずれか一項に記載の物品。
【請求項７】
前記突起又はパッドは１００ミクロン〜１０ｍｍの高さである、請求項６に記載の物品。
【請求項８】
前記突起又はパッドは、全体的に規則的な又は不規則な配列の形態である、請求項６又は請求項７に記載の物品。
【請求項９】
前記パネルは内向きの隆起として構成され、これにより前記パネルは、標的化されたかつ段階的な圧迫の領域を、その中央付近に最も大きな圧迫の区域を有して提供する、請求項１〜請求項８のいずれか一項に記載の物品。
【請求項１０】
身体の上半分に装着されるように適合され、
長袖又はより短い袖を備え、
各袖は、前記袖の長さに沿って延在する少なくとも１つの細長いパネルであって、腕の前方外側の面（８）及び／又は前記腕の前方内側の面（９）の標的化された圧迫を提供するように配置された少なくとも１つの細長いパネルを有し、
好ましくは各袖は、前記腕の前記前方外側の面、及び前記腕の前記前方内側の面の標的化された圧迫をそれぞれ提供する２つの前記細長いパネルを有する、
請求項１〜請求項９のいずれか一項に記載の物品。
【請求項１１】
使用中に下半身を覆うように適合されるとともに、
脚の内側の面（１２）の少なくとも一部に沿って延在してそれにより長伏在静脈の標的化された圧迫を提供するように適合された、少なくとも１つの細長いパネル、
及び／又は、前記脚の後方外側の面（１３）の少なくとも一部に沿って延在してそれにより短伏在静脈上の標的化された圧迫を提供するように配置された、別の細長いパネル、
及び／又は、臀部（１１）と股関節の外側の面（１４）とを覆うように適合されてそれにより前記臀部及び股間接内の静脈の叢の標的化された圧迫を提供するように構成された、別のパネル、
を備える、
請求項１〜請求項１０のいずれか一項に記載の物品。
【請求項１２】
人間又はその他の哺乳類における活動期間後の回復時間を減少させる方法であって、請求項１〜請求項１１のいずれか一項に記載の物品を、前記活動期間の前、間、又は後に身体に適用することを含む、方法。
【請求項１３】
人間又はその他の哺乳類における全体的性能、特にスポーツ性能を向上させる方法であって、請求項１〜請求項１１のいずれか一項に記載の物品を、性能の増加が所望される期間の前又は間に身体に適用することを含む、方法。
【請求項１４】
人間又はその他の哺乳類における皮膚及び組織を外傷から部分的に保護する方法であって、請求項１〜請求項１１のいずれか一項に記載の物品を身体に適用することを含む、方法。
【請求項１５】
人間又はその他の哺乳類における活動期間中に皮膚を冷却する方法であって、請求項１〜請求項１１のいずれか一項に記載の物品を、前記活動期間の前、間、又は後に身体に適用することを含む、方法。
【請求項１６】
人間又はその他の哺乳類における活動期間中に皮膚を温める方法であって、請求項１〜請求項１１のいずれか一項に記載の物品を、前記活動期間の前、間、又は後に身体に適用することを含む、方法。
【請求項１７】
人間又はその他の哺乳類における皮膚マッサージの方法及び／又は局所皮膚循環を増加させる方法であって、請求項１〜請求項１１のいずれか一項に記載の物品を身体に適用することを含む、方法。
【請求項１８】
皮膚及び皮下組織におけるリンパ管ドレナージを補助する方法であって、請求項１〜請求項１１のいずれか一項に記載の物品を身体に適用することを含む、方法。
【請求項１９】
人間又はその他の哺乳類における医学的状態を予防及び／又は処置する方法であって、請求項１〜請求項１１のいずれか一項に記載の物品を身体に適用することを含む、方法。
【請求項２０】
前記医学的状態は、深部静脈血栓症、血栓後症候群、又は静脈瘤、又はリンパ浮腫、又は準医学的状態「セルライト」である、請求項１９に記載の方法。
【発明の詳細な説明】
【技術分野】
【０００１】
本発明は段階的圧迫又は圧迫衣料物品、例えばスポーツウェアに関するものであり、特に、スポーツ性能の１つ以上の側面を向上させるために有用である。この衣料は医療分野においても有用性を有する。
【背景技術】
【０００２】
段階的圧迫靴下は、例えば深部静脈血栓症の予防を補助するために、及び血栓後症候群への対処を助ける手段として医療業界において長く使用されてきた。加えて段階的圧迫靴下は、静脈瘤に対処するための既知の応用を有し、普段着として使用される場合は、特に旅行及び妊娠に伴う疲労した、腫れた、及び一般的に不快な脚の予防に関して役立つ。
【０００３】
段階的圧迫衣料は、運動後のスポーツ回復を補助するためにも試されてきたが、現在のところ科学及びスポーツコミュニティは、全体的な性能向上について、その効果の交錯した報告を行っている。
【０００４】
非段階的圧迫衣料は、専門家の水着及びアスレチックウェアの形態によって例示される。これはまた、高速のジェット機を操縦する軍パイロットによって極端な形態で使用され、この場合、下肢の圧迫が血液を頭、中央部、及び上体に最大限に循環するよう強制してブラックアウトの防止を助ける。
【０００５】
全体的なスポーツ性能の向上は価値のある目標である。スポーツ性能の非常に小さな増分がレースの勝敗の差となり、従って大量の研究がこの分野で行われている。市場には間接的に性能を向上させる多くの衣料物品があり、例えばパッドが入れられたサイクリングショーツが存在し、これは乗り手をより快適にし、従って間接的に性能を向上させ得る。スポーツ衣料は、競技者の能力自体の結果としてではなく、例えばぴったりと着用してより空力的な輪郭を作ることを通して、より小さな風又は水の抵抗を作ることによって、直接的に性能を向上させ得る。時々、そのような材料技術は「不公平」とみなされる場合があり、例えば先のオリンピック競技大会中の一体型の全身水着の使用のように、プロスポーツにおけるその使用の禁止という結果になる場合がある。
【発明の概要】
【発明が解決しようとする課題】
【０００６】
個人のスポーツ性能及び／又はスポーツ回復の向上に直接役立ち得る衣料物品（１つ又は複数）又はその他のスポーツウェアに対する必要性が存在する。スポーツを補助するこの能力は、例えば静脈瘤、血栓後症候群、リンパ浮腫、又は「セルライト」などの準医学的状態への対処を更に向上させるために医療業界にも移行され得る。
【課題を解決するための手段】
【０００７】
本発明は人体解剖学、及び特に脈管学の理解に基づく。本発明はまた、衣料物品を着用している場合に特定の表面静脈又は特定の表面静脈群の標的化された圧迫が達成可能であることを示した実験に基づく。更に、特定の領域の組織への酸素添加された血液の運搬の向上が達成可能であると考えられており、皮膚の温度に影響を及ぼすことなどの更なる間接的な効果が達成され得ると考えられている。
【０００８】
平均的な人間は全身を循環する約５リットルの血液を有する。安静時にはこの全容積のうちの５％〜８％が皮膚及び表在静脈系内に含まれると推定されている。運動時及び激しい運動時には特に、熱消失を助ける手段として皮膚への循環が増加する場合があり、表面静脈が目に見えて膨張してここでの全血液容量が全血液容量の最大１０％に増加する可能性がある。
【０００９】
多くのスポーツにおいては、高地でのトレーニングが、全体的な性能を向上させるための重大なしかし一時的な効果を有し得ることがよく知られている。ここでの生理学的原理は、高地においては呼吸に使える大気中の酸素の濃度が減少し、ホルモン（エリスロポイエチン）の生成を増加することで身体が対応することが発生し、これは更に、酸素を運ぶ赤血球の増加をもたらす、というものである。この筋肉への酸素の取り込み能力の向上、及び従って運動能力の向上は、トレーニング中のスポーツ選手が「地表レベル」に戻った場合にしばらくの間維持される。同じ原理が、スポーツ性能を向上させるための「薬物」として摂取される合成（エリスロポイエチン−ＥＰＯ）ホルモンの不正使用について存在する。この手法の使用は、血中濃度が正常に戻るまで  −  多くの場合は６０〜９０日と推定される  −  全体的性能を推定１％〜３％だけ向上させ得る。
【００１０】
理論に拘束されることは望まないが、本発明におけるような、特定の（名前付き）表在静脈、静脈及びリンパ管叢の標的化された圧迫は、「表面」血液を深層循環にドレナージし、全循環血液容量の大部分を身体内の中央部及び主要筋群が利用可能であるように維持する効果  −  筋肉が利用できる酸素を増加させる同様の末端効果  −  高地におけるトレーニングと同じ効果  −  を有すると考えられている。
【００１１】
この「標的化された」圧迫は一般的な圧迫に優る多くの利点を有し、特定の表面静脈を他の領域に優先して圧迫することは有利である、ということに留意することが重要である。
【００１２】
再び、理論に拘束されることは望まないが、特定のスポーツ活動に参加する場合に本発明の衣料物品が装着される場合、その活動中の表在系から深部系への血液のドレナージは長期的な問題を何ももたらさない。しかし可能な効果は、全体的性能の向上における（推定３％〜７％の）即座の増加である。任意の１つのイベントにおける可能な効果は、スポーツ選手が持続的なトレーニングに伴ってある期間にわたってデバイスを継続的に使用する場合、向上され得る。
【００１３】
第１の態様によれば、皮膚に接して着用されるように適合された衣料物品は、身体内の特定の表面静脈の全長の少なくとも２０％の標的化された圧迫を提供するように適合された、あるいは特定の静脈叢、特定のリンパ管叢、ドレナージ叢（ｄｒａｉｎａｇｅ  ｐｌｅｘｕｓ）、又はリンパ管の集まりの少なくとも２０％の標的化された圧迫を提供するように適合された、少なくとも１つのパネルを含む。
【００１４】
第２の態様によれば、人間又はその他の哺乳類における活動期間後の回復時間を減少させる方法は、任意の先行する請求項による物品を、活動期間の前、間、又は後に身体に適用することを含む。
【００１５】
第３の態様によれば、人間又はその他の哺乳類における全体的性能、特にスポーツ性能を向上させる方法は、上記で規定された物品を、性能の増加が所望される期間の前又は間に身体に適用することを含む。
【００１６】
第４の態様によれば、人間又はその他の哺乳類における皮膚及び組織を外傷から保護する方法は、上記で規定された物品を身体に適用することを含む。
【００１７】
第５の態様によれば、人間又はその他の哺乳類における活動期間中に皮膚を冷却する方法は、上記で規定された物品を、活動期間の前、間、又は後に身体に適用することを含む。
【００１８】
第６の態様によれば、人間又はその他の哺乳類における活動期間中に皮膚を温める方法は、上記で規定された物品を、活動期間の前、間、又は後に身体に適用することを含む。
【００１９】
第７の態様によれば、人間又はその他の哺乳類における皮膚マッサージの方法及び／又は局所皮膚循環を増加させる方法は、上記で規定された物品を身体に適用することを含む。
【００２０】
第８の態様によれば、皮膚及び皮下組織におけるリンパ管ドレナージを補助する方法は、上記で規定された物品を身体に適用することを含む。
【００２１】
第９の態様によれば、人間又はその他の哺乳類における医学的状態を予防及び／又は処置する方法は、上記で規定された物品を身体に適用することを含む。
【図面の簡単な説明】
【００２２】
【図１】本発明による長袖のトップスの例の前面図である。トップスは裏返して示されており、すなわち使用中にパッドは皮膚に向けて内側に突出する。
【図２】図１に示すトップスの背面図である。
【図３】本発明による１着のショーツの例の前面図である。ショーツは裏返して示されており、すなわち使用中にパッドは皮膚に向けて内側に突出する。
【図４】図３に示すショーツの背面図である。
【図５】身体内の主要な表面静脈のうちのいくつかの位置を示す概略図である。
【図６】本発明による衣料物品を使用して圧迫され得る身体の領域を示す概略図である。
【発明を実施するための形態】
【００２３】
本発明によれば、衣料物品が皮膚に接して着用されるように適合され、この衣料物品は、身体内の名前付き又は特定の表面静脈の全長の少なくとも２０％の標的化された圧迫を提供するように適合された、あるいは特定の静脈叢、特定のリンパ管叢、特定のドレナージ叢、又はリンパ管の集まりへの標的化された圧迫を提供するように適合された、パネル（１つ又は複数）を含む。
【００２４】
身体の静脈は、表在及び深部の２つの主要な集合に分けられる。表在静脈は体表の近くに位置し、一方、より深い静脈は皮膚表面からより遠い、筋膜層の下、筋肉及び骨の中とその周辺とに位置する。これらの系の間の連絡が存在する。
【００２５】
本明細書中で使用される場合、静脈の位置は、標準的な解剖学的正位で立っている場合の身体を基準にして記載される。この体位は図６に示されている。「解剖学的正位」は当技術分野においてよく使用される用語であり、前方を向いて立ち、腕を横に垂らして手のひらを前方に向け、足も前方に向けた場合に身体がなす体位を表す。
【００２６】
図５は、身体内の名前付き（特定の）表面静脈のうちのいくつかの位置を示す。例えば、橈側皮静脈及び尺側皮静脈は腕の中に見出される。橈側皮静脈は腕の前方外側の面上にあり、尺側皮静脈は腕の前方内側の面上にある。下肢の表在静脈は主として長（又は大）及び短（又は小）伏在静脈である。長伏在静脈は、脚及び腿のより内側の面に沿って見出され、肢のほぼ全長に伸びる。短伏在静脈は、下脚の後方外側の面により多く沿って伸び、膝の裏において又はその近くで終結する。
【００２７】
例えばドレナージ静脈の集まり（叢）も、臀部及び股間接の側部内に、及び胸筋の上に重なる前胸壁の全体にわたって存在して、これらの区域のドレナージを行う。
【００２８】
同様に、身体上の特定の表面領域のドレナージを行う既知のリンパ管叢が存在する。これらの叢は更に、特に下肢及び上肢内の、静脈の横に並んで伸びる傾向があるリンパ管内へのドレナージを行う。
【００２９】
これらの名前付き（特定の）表面静脈、ドレナージ叢、又はリンパ管叢は、皮膚と、筋肉を覆う筋膜との間の脂肪層内に位置する。これらは皮膚表面に実質的に平行に伸びる。
【００３０】
本発明によれば、パネルは、名前付き表面静脈の長さ部分（ｌｅｎｇｔｈ）の少なくとも２０％の標的化された圧迫を適用するように適合される。特定の静脈の「長さ部分」は皮膚表面に実質的に平行に位置することが理解されるであろう。
【００３１】
本発明によれば、パネルは、特定の叢の少なくとも２０％の標的化された圧迫を適用するように適合される。これは、特定の叢の上に重なる皮膚の少なくとも２０％の圧迫とも表現され得ることが理解されるであろう。
【００３２】
本発明の衣料物品は、（任意のスポーツのための）スポーツウェア物品、又は普段着を目的とする物品であってもよい。本発明に含まれるのは、プロのスポーツ選手によって着用されることを目的とする物品、及びアマチュアのスポーツ選手によって着用されることを目的とする物品である。衣料物品は、医療用衣料、すなわち治療又は状態対処効果を有することを目的とするものであってもよい。両性のための様々な異なるサイズのものが利用可能であってもよい。
【００３３】
本発明による衣料物品は、例えばＴシャツ、長袖のトップス、ショーツ、レギンス、タイツ、足首丈のソックス、又はハイソックスであってもよい。
【００３４】
本発明による衣料物品は、水着又はウェットスーツであってもよい。
【００３５】
本発明の衣料物品は、好ましくは圧迫衣料物品である。これは段階的圧迫衣料物品であってもよい。
【００３６】
当業者は本発明による衣料物品を作製することが可能である。基本的解剖学の知識と、段階的又は非段階的圧迫を提供する材料及び方法の知識とを有していれば、当業者は本発明を実施することが可能である。
【００３７】
本明細書中で使用される場合、「パネル」は、衣料物品上に位置する領域又は区域を意味する。これは好ましくは、衣料の材料とは別個の、衣料の材料に追加されるものである。これは衣料物品上に後付けされてもよい。パネルは例えば細長形、線状、正方形、楕円形、又は矩形であってもよい。パネルは、圧迫される静脈、リンパ管、又は叢を覆うように適合されるべきであり、当業者は好適な形状を選択可能である。パネルは好ましくは、本発明による衣料物品の内側上又は内層上に、皮膚に面して位置する。この文脈において、語「パネル」は衣料内のゾーン又は領域である。
【００３８】
衣料物品は、身体内の表面静脈、静脈叢、リンパ管叢、又はリンパ管（１つ又は複数）のうちの１つ以上の少なくとも一部の標的化された圧迫を提供するように適合された、パネル又は複数のパネルを含む。
【００３９】
用語「標的化された圧迫」は、圧迫される領域が優先的に、標的化されない領域より大きな程度まで圧迫されることを意味する。標的化された圧迫を身体の区域に使用中に提供するように適合されたパネルを含む衣料物品において、パネルと直接接触する身体の領域は、パネルと直接接触しない身体の領域に比較して優先的に圧迫される。パネルと直接接触しない領域は、衣料のタイプ（すなわちそれが段階的圧迫又は圧迫衣料であるかどうか）に応じて、全く圧迫されなくてもよく、又はより小さな程度まで圧迫されてもよい。
【００４０】
好ましい実施形態では、パネル（１つ又は複数）が表面静脈又は表面リンパ管への標的化された圧迫を提供するように適合された場合、表面静脈の全長の少なくとも２０、３０、４０、５０、６０、７０、８０、９０、又は最大１００％が標的化される。好ましくは、表面静脈の全長の７０％超が標的化される。当業者は、身体内のこれらの表面静脈のほぼ全長を正確に狙うことが可能である。
【００４１】
好ましい実施形態では、パネル（１つ又は複数）が静脈又はリンパ管の叢への圧迫を提供するように適合された場合、叢を覆う皮膚の領域の少なくとも２０、３０、４０、５０、６０、７０、８０、９０、又は最大１００％が標的化される。好ましくは、叢を覆う皮膚の領域の７０％超が標的化される。
【００４２】
好ましい実施形態では、パネル（１つ又は複数）の長さは、１つ又は複数のセグメントにおいて５、１０、又は１５ｃｍから最大２０、４０、６０、８０、１００、１２０、１４０、又は１５０ｃｍまでである。好ましくは、これは５〜１００ｃｍの長さである。パネル（１つ又は複数）は連続又は不連続であってもよい。例えば、パネルは連続したパッドの形態であってもよい。あるいは、パネルは別個のパッド／突起の配列の形態であってもよい。
【００４３】
好ましい実施形態では、標的化された圧迫の領域の幅は１、２、３、４、又は５ｃｍ から最大１０、２０、３０、４０、又は５０ｃｍまでであり、好ましくは１〜５０ｃｍである。好ましい実施形態では、表面静脈は、例えば橈側皮静脈、尺側皮静脈、短伏在静脈、及び長伏在静脈から選択される。表面静脈（１つ又は複数）はまた、臀部及び股間接の側部内の、又は胸筋の上に重なる前胸壁の全体にわたる、ドレナージ静脈の集まり（叢）から選択されてもよく、ここでドレナージ静脈の位置は、標準的な解剖学的正位で立っている場合の身体を基準にして記述されている。
【００４４】
パネルが名前付き表面静脈を圧迫するように適合される場合、パネルは幅が非常に広い必要はない。しかしパネルが狭くされすぎないことも重要である。この理由は、本発明の衣料物品は必ずしもカスタムメイドでなくてもよく、名前付き表面静脈の位置は各個人においてある程度変化するからである。従って本発明のパネルの幅は、これらの正常な差異を見込んだものでなければならない。
【００４５】
好ましい実施形態では、パネル（１つ又は複数）は、使用中に臀部及び股間接の側部のほとんど又は全てを覆うように適合される。好ましくはパネルは、前胸壁の大部分を、装着者の少なくとも正中線まで、正中線の両側上（胸筋部）で覆うように適合される。
【００４６】
衣料物品が半袖又は長袖のＴシャツである場合、これは好ましくは、各腕の長さに沿ってそれぞれが延在する２つのパネルを含み、すなわち各腕が、橈側皮及び尺側皮静脈に標的化された圧迫を提供するための２つの別個のパネルを含む。トップスはまた、それぞれの胸筋静脈叢に標的化された圧迫を提供するための、前胸壁の全体にわたって延在する、すなわち衣料品の前面上のパネル（１つ又は複数）を含んでもよい。
【００４７】
衣料物品が尺側皮静脈に圧迫を提供するように適合される場合、パネルは好ましくは、腕の前方内側の面（９）の少なくとも一部（好ましくは少なくとも３０、４０、５０、又は６０％）を使用中に圧迫するように適合される。
【００４８】
衣料物品が橈側皮静脈に圧迫を提供するように適合される場合、パネルは好ましくは、腕の前方外側の面（８）の少なくとも一部（好ましくは少なくとも３０、４０、５０、又は６０％）を使用中に圧迫するように適合される。
【００４９】
衣料物品が胸におけるリンパ管叢に圧迫を提供するように適合される場合、パネルは好ましくは、前胸壁（１０）の少なくとも一部（好ましくは少なくとも３０、４０、５０、又は６０％）を使用中に圧迫するように適合される。
【００５０】
衣料物品が臀部におけるリンパ管叢に圧迫を提供するように適合される場合、パネルは好ましくは、臀部（１１）及び股関節の外側の面（１４）の少なくとも一部（好ましくは少なくとも３０、４０、５０、又は６０％）を使用中に圧迫するように適合される。
【００５１】
衣料物品が長伏在静脈に圧迫を提供するように適合される場合、パネルは好ましくは、上（近位）脚、下（遠位）脚、又は脚全体の内側の面（１２）の少なくとも一部（好ましくは少なくとも３０、４０、５０、又は６０％）を使用中に圧迫するように適合される。
【００５２】
衣料物品が短伏在静脈に圧迫を提供するように適合される場合、パネルは好ましくは、下脚の後方外側の面（１３）の少なくとも一部（好ましくは少なくとも３０、４０、５０、又は６０％）を使用中に圧迫するように適合される。
【００５３】
物品が１着のズボン、レギンス、又はタイツである場合、これは好ましくは、腿の長さに沿って各脚の内側（正中線に近い）面を下に延在し、従って長伏在静脈を標的化する、各内腿（腿の内側部）上のパネルを含む。これは好ましくは、臀部を覆い股間接の側部にわたって延在し、従ってそれぞれの静脈叢を標的化するパネルも含む。更により好ましくはこれは、膝の裏から各脚の外側（正中線から外れた）面を下に延在し、従って短伏在静脈を標的化するパネルを含む。
【００５４】
好ましくは、パネル（１つ又は複数）は更に、リンパ管叢（１つ又は複数）を、又はリンパ管の既知の主要な集合を圧迫するように適合される。特に腕及び脚においてリンパ管は通常、表面静脈の横に並んで伸びているので、実際には、表面静脈を圧迫するパネル（１つ又は複数）は多数の主要なリンパ管も圧迫する。
【００５５】
パネル（１つ又は複数）は任意の好適な材料、例えば圧縮された綿状繊維、シリコーン、ラテックスゴム、メモリフォーム（ｍｅｍｏｒｙ  ｆｏａｍ）、ポリウレタンフォーム、より堅いプラスチック又は金属スタッド、又はこれらの任意の組み合わせのものであってもよい。特にこれは、衣料業界ですでに使用されている印刷可能ポリマー形成（ｐｒｉｎｔａｂｌｅ  ｐｏｌｙｍｅｒ  ｆｏｒｍａｔｉｏｎｓ）から作られてもよい。
【００５６】
好ましくは、パネルのパッド又は突起は、固体又は半固体であってもよく、あるいは好適なプラスチック又はその他の材料を例えばインクジェット印刷によって堆積させることによって、又は予め作製されたトランスファ（ｐｒｅ−ｍａｄｅ  ｔｒａｎｓｆｅｒｓ）の適用によって構築されてもよい。
【００５７】
本発明のパネルは好ましくは、（好ましくは試験済みの安全な工業用化合物を使用して）スクリーン印刷されたポリマーから形成される。パッドは好ましくは、皮膚に対して快適であると同時に、皮膚と直接相互作用するように配合及び成形される。
【００５８】
例としてパネルは、既知の表面静脈部位を覆うように、及び更により好ましくは、段階的圧迫を背景にして標的化された圧迫を提供するように（すなわち段階的圧迫衣料物品にパネルが適用される／組み込まれるように）配置された、必要に応じて異なるサイズの及び／又は異なる高さの、一連のパッド（突起）から、又はパッド（突起）の配列から構成されてもよい。そのようなパッドの配列を有することの１つの利点は、基礎をなす衣料品基材上での「圧迫ゾーン」のより大きな移動が可能になること、及び各パッド間のいくらかの「通気性」が可能になることである。
【００５９】
好ましくは衣料物品は、使用中に身体に圧迫を、好ましくは段階的圧迫を提供するように適合された少なくとも１つの区域を加えて含む。より好ましくは、基本的衣料物品は、圧迫又は段階的圧迫衣料物品であり、例えば衣料物品を作製する材料は、本質的に弾性で伸縮性がある例えばライクラ（Ｌｙｃｒａ）（登録商標）（エラステイン）である。より好ましくは、標的化された圧迫を提供するように適合された領域は、段階的圧迫の区域上に重ね合わされ、すなわち標的化された圧迫は段階的圧迫を背景にして提供される。これはまた、標準的な圧迫を背景にして提供されてもよい。これは、圧迫を提供するように適合された材料から作製された衣料物品によって、例えばナイロンを伴う強力なライクラ（Ｌｙｃｒａ）（登録商標）（エラステイン）と、その内側上に配置されたパネルとによって達成され得る。ライクラ（Ｌｙｃｒａ）（登録商標）の強さ又は織り方は、段階的圧迫を提供するために物品全体を通して変えられてもよい。
【００６０】
好ましくは段階的圧迫は、物品の使用中に、より大きな圧迫レベルが心臓からより遠位にあり、より小さな圧迫レベルが心臓に対してより近位にあるようなものである。
【００６１】
好ましくは、標的化された圧迫を提供するように適合された領域は、使用中に身体に作用するような、皮膚表面に向けて内側に突出する複数の突起を含む。
【００６２】
好ましい実施形態では、突起例えばパッドの高さは、パネルの中央で集中的圧迫が最も大きくなるように全体的な内向きの隆起を形成するために変えられる。パネルの位置は、特定の表面静脈の上に重なる皮膚をパネルの中央が標的にするように構成されてもよい。しかし突起の高さは均一なサイズであってもよい。
【００６３】
好ましくは、標的化された圧迫の領域は更に、外部からそこに作用する任意の力の大きさを減らすのに役立つように適合される。これは、下層をなす皮膚の損傷を防止するのに役立つ効果を有し得るとともに、皮膚表面の擦過傷及び皮下の挫傷を最小にするのに役立ち得る。これは、パネルの厚さを変えることによって、及び／又はパネルを構成する材料を変えることによって達成されてもよい。
【００６４】
好ましい実施形態では、パネルは断熱区域を提供するように適合され、これは活動期間中に皮膚表面を温かく保つのに役立ち得、又はこれと並んで、熱及び汗の消散を補助し得る皮膚冷却の区域を提供するのに役立ち得る。これは、突起の高さ及び／又は間隔を変えることによって、及び／又は突起を作製する材料を変えることによって達成されてもよい。物品を作製する材料を変えることによって、身体に対する温度効果も制御され得る。そのような温度効果は、パネルの周囲に作られる皮膚と衣料物品との間の空間が、空気又は水又はその他の物質を含むかどうかによっても影響を及ぼされ得る。
【００６５】
好ましい実施形態では、パネルは、断熱及び皮膚冷却の両方の区域を、衣料物品の装着者の表面温度に応じて更に提供してもよい。得られた初期結果から、比較的低活動性の期間中に衣料品は皮膚冷却を補助し得、高活動性の期間中に衣料品は温熱効果を身体に提供し得ると考えられる。これはスポーツ性能の向上に直接的又は間接的に役立ち得る。
【００６６】
好ましくは、突起は１００ミクロン〜１０ｍｍの高さである。より好ましくは、それらは１ｍｍ〜５ｍｍの高さである。好ましくは、突起は規則的な配列の形態である。あるいは突起は、特定の表在静脈の解剖学的に規定された経路に沿って標的化された圧迫をもたらすための、又は既知の静脈又はリンパ管叢に対応する領域を覆うための好適な形状を全体として形成する、不連続な配列の形態であってもよい。
【００６７】
好ましくはパネルは、標的化された圧迫の領域内で、パネルの縁に比べてその中央においてより高いレベルの圧迫が存在するような、すなわち標的化された圧迫が更に副次的に段階付けされるような、内向きの隆起として構成される。これは、最も高い突起がパネルの中央にあり最も低い突起がパネルの縁にあるように、パネル内の突起の段階的な高さを有することによって達成され得る。
【００６８】
本発明には潜在的にその他の多くの利点が存在する。そのような利点の１つは、パネルが皮膚に対する「マッサージ」効果も有し得、これによりリンパ管ドレナージが刺激され、かつ／又はセルライト（として知られる準医学的状態）が減少し、かつ／又は局所皮膚血流が向上するということである。
【００６９】
次に、本発明について添付の図面を参照して更に説明する。図面は本発明の好ましい実施形態を示す。
【００７０】
図１及び図２は、本発明による長袖のトップス（１）を示すことによって本発明を例示する。図１はトップスの前面を示し、図２は背面を示す。トップスは裏返して示されている。各袖は内面上に、腕の長さに沿って延在する２つの細長いパネルを有し、これらは標的化された圧迫を提供する「パッド」を有する。１つのパネル（２）は尺側皮静脈を標的とし、もう１つのパネル（３）は橈側皮静脈を標的とする。
【００７１】
図３及び図４は、本発明による１着のショーツを示す。これは裏返して示されている。ショーツは、長伏在静脈の各部分への圧迫を標的とする、腿の長さの一部に沿って延在する各内腿上のパネル（６）と、各静脈叢への圧迫を標的とする、臀部を覆い股間接の側部にわたって延在するパネル（７）とを含む。この好ましい実施形態は図３及び図４に示されている。図３は１着のショーツの前面を示し、図４は１着のショーツの後面を示し、標的化された圧迫を提供するための「パッド」が所定の位置に置かれている。
【００７２】
研究
パッド（突起）の配列を含むパネルが、段階的圧迫靴下物品内に組み込まれた。臨床試験が行われ、靴下物品は激しい運動の後の回復を補助すること、及び皮膚及びその下の組織への酸素添加された血液の送達を向上させることが示された。
【００７３】
パネルは段階的圧迫を背景にして「圧迫の集中」を生成し、これにより皮下組織内の特定の解剖学的特徴（例えば脚内の長及び短伏在静脈）を平坦化して深部静脈への血流の向け直しをもたらし、更には心臓及び肺への血液の戻りを十分に最適化することが可能になるということが示された。
【００７４】
本発明によるパネルは、全体的な性能、回復、体形、肌の色、及び気分を向上させるため、及びセルライトなどの特定の状態の予防を補助するために、全身の特定の解剖学的特徴を標的として、圧迫レギンス、ショーツ、及びＴシャツに適用された。
【図１】
2016509637.tif 000003
【図２】
2016509637.tif 000004
【図３】
2016509637.tif 000005
【図４】
2016509637.tif 000006
【図５】
2016509637.tif 000007
【図６】
2016509637.tif 000008
【国際調査報告】
2016509637.tif 000009
2016509637.tif 000010
2016509637.tif 000011